(57)【要約】本発明は海外教育研修を希望する使用者が国内及び国外サーバーを通してエージェントまたは教育機関の推薦を受けて入学を決定すれば、安全決済の案内を受けて入学できるように仲介する海外教育研修のダブル仲介システム及びそのダブル仲介方法に関するものである。本発明による海外教育研修のダブル仲介方法は、国内仲介サーバーが使用者からの教育希望情報の送信があれば国内外エージェントまたは教育機関のオファー情報を提供し、少なくとも一つ以上のエージェントまたは教育機関の登録をしてもらう。使用者がエージェントを選択する場合、エージェントから希望情報に対応する教育機関の詳細入学情報の登録を受ける。詳細入学情報は希望情報に符合する順位が付けられて使用者に提供される。使用者が特定教育機関への入学を決めれば、エージェントは教育機関の入学金及びエージェント手数料を含む教育費内訳を使用者に請求する。使用者が教育費を決済すれば安全決済を保証する保険証券を提供する。以後、使用者が入学登録を終えれば教育費が各々の教育機関及びエージェントに決済される。本発明によれば、国内外で各々構築したサーバーが使用者へ希望条件に符合する順位に沿ってエージェント及び海外教育機関を推薦し、使用者が決済した教育費を安全に保管してから教育機関で入学登録が確認される事を条件にエージェント及び教育機関に教育費を支給する。
2010524076.tif 000002
【特許請求の範囲】
【請求項１】
国内及び海外に構築した仲介サーバーが有無線ネットワークを利用して使用者とエージェントと教育機関の間で海外教育研修の入学及び教育費納入を仲介するダブル仲介方法において、
(SA10)国内仲介サーバーが使用者端末から教育希望情報の送信を受け、上記使用者端末に上記希望情報に符合する順位による国内外エージェントまたは教育機関のオファー情報を提供し、使用者が選択する少なくとも一つ以上のエージェントまたは教育機関の登録を受ける段階;
上記段階(SA10)で使用者がエージェントを選択する場合、
(SA20)使用者が選択したエージェント端末から上記希望情報に対応する教育機関の詳細入学情報の登録を受け、DBに保存する段階;
(SA30)上記詳細入学情報を評価して上記希望情報に符合する順位を選定した後、教育機関別リストを生成して上記使用者端末に提供する段階;
(SA40)上記教育機関別リストを照会した上記使用者端末から特定教育機関の選定を受け、対応する上記エージェント端末に使用者の入学決定を通知する段階;
(SA50)上記エージェント端末から使用者が決定した教育機関の入学金及びエージェント手数料を含む教育費内訳の登録を受け、上記使用者端末に案内する段階;及び
(S60)使用者が提携金融社サーバーにアクセスして教育費を決済すれば、国内仲介サーバーが使用者端末に保険証券を提供し、海外仲介サーバーが教育機関から使用者入学登録の通知を受ければ、提携金融社サーバーに使用者に対応する教育機関及びエージェントの口座へ教育費の振込みを要請する段階
を含む事を特徴とする海外教育研修のダブル仲介方法。
【請求項２】
請求項１の方法であって、
上記段階(SA10)は、
(SA11)国内仲介サーバーが、ホームページにアクセスした使用者端末から教育希望情報の登録を受けてDBに保存する段階;
(SA12)国内仲介サーバーに登録されたエージェント端末及び教育機関端末に、上記希望情報を提供する段階;
(SA13)上記希望情報を照会したエージェント端末から、少なくとも一つ以上の教育機関を含むオファー情報の登録を受けてDBに保存する段階;
(SA14)上記希望情報を照会した少なくとも一つ以上の海外教育機関端末から、オファー情報の登録を受けてDBに保存する段階;
(SA15)上記国内仲介サーバーが、上記段階(S13)または段階(S14)のオファー情報を評価して上記希望情報に符合する順位を選定した後、エージェント別リスト及び教育機関別リストを生成して上記使用者端末に提供する段階
(SA16)上記使用者端末から少なくとも一つ以上のエージェントまたは教育機関の選択を受け、選択事実を通知する段階;
を含む事を特徴とするダブル仲介方法。
【請求項３】
請求項１の方法であって、
上記段階(SA10)で使用者が教育機関を選択する場合、
(SA21)使用者が選択した教育機関端末から詳細入学情報の登録を受けてDBに保存する段階;
(SA41)上記詳細入学情報を照会した上記使用者端末から入学決定の送信を受ければ、対応する教育機関端末に知らせる段階;及び
(SA51)上記教育機関端末から教育費内訳の登録を受けて、上記使用者端末に案内する段階;
を含む事を特徴とするダブル仲介方法。
【請求項４】
国内及び海外に構築した仲介サーバーが、有無線ネットワークを利用して使用者とエージェントと教育機関の間で海外教育研修の入学及び教育費納入を仲介するダブル仲介方法において、
(SB10)国内仲介サーバーが使用者端末から教育希望情報の送信を受け、上記使用者端末に上記希望情報に符合する順位によるエージェントのオファー情報を提供し、使用者が選択する少なくとも一つ以上のエージェントの登録を受ける段階;
(SB20)上記国内仲介サーバーは、使用者が選択したエージェント端末と使用者端末の間でホームページを通して相談を仲介し、エージェント端末から詳細入学情報の登録を受けて海外仲介サーバーのホームページに送って登録する段階;
(SB30)上記海外仲介サーバーは、教育機関端末から詳細入学情報に対応するオファー情報の登録を受けて、上記オファー情報に対して上記希望情報に符合する順位を選定した後に教育機関別リストを生成し、上記国内仲介サーバーを通して上記エージェント端末及び上記使用者端末に提供する段階;
(SB40)上記国内仲介サーバーは、上記使用者端末から上記教育機関別リストより特定教育機関の選定を受け、対応する上記エージェント端末に使用者の入学決定を通知し、上記エージェント端末から使用者が決定した教育機関の入学申請の入力を受け、上記海外仲介サーバーに送る段階;
(SB50)上記海外仲介サーバーは、入学申請を照会した上記教育機関端末から学費内訳の登録を受け、上記国内仲介サーバーに登録する段階;
(SB51)上記国内仲介サーバーは、学費内訳を確認したエージェント端末から手数料が追加された教育費内訳の登録を受け、上記使用者端末に案内する段階;及び
(S60)使用者が提携金融社サーバーにアクセスして教育費を決済すれば、国内仲介サーバーが使用者端末に保険証券を提供し、海外仲介サーバーが教育機関から使用者入学登録通知を受ければ、提携金融社サーバーに使用者に対応する教育機関及びエージェントの口座へ教育費の振込みを要請する段階
を含む事を特徴とする海外教育研修のダブル仲介方法。
【請求項５】
請求項４の方法であって、
上記段階(SB10)は、
(SB11)国内仲介サーバーが、ホームページにアクセスした使用者端末から教育希望情報の登録を受けてDBに保存する段階;
(SB12)国内仲介サーバーに登録されたエージェント端末に上記希望情報を提供する段階;
(SB13)上記希望情報を照会したエージェント端末から少なくとも一つ以上の教育機関を含むオファー情報の登録を受けてDBに保存する段階;
(SB14)上記国内仲介サーバーが、上記オファー情報を評価して上記希望情報に符合する順位を選定した後にエージェント別リストを生成して、上記使用者端末に提供する段階;
及び
(SB15)上記使用者端末から少なくとも一つ以上のエージェントの選択を受ければ、対応するエージェント端末に選択事実を通知する段階
を含む事を特徴とするダブル仲介方法。
【請求項６】
国内及び海外に構築した仲介サーバーが、有無線ネットワークを利用して使用者とエージェントと教育機関の間で海外教育研修の入学及び教育費納入を仲介するダブル仲介方法において、
(SC10)国内仲介サーバーが、使用者端末から教育希望情報の送信を受けて、上記国内仲介サーバー及び海外仲介サーバーが上記希望情報をエージェント端末及び教育機関端末に提供し、上記使用者端末へ上記希望情報に符合する順位による国内外エージェント及び教育機関のオファー情報を提供し、使用者が選択する少なくとも一つ以上のエージェントまたは教育機関の登録を受ける段階;
上記段階(SC10)で使用者がエージェントを選択する場合、
(SC20)上記国内仲介サーバーは、使用者が選択したエージェント端末と使用者端末の間でホームページを通して相談を仲介し、エージェント端末から希望情報の登録を受けて海外仲介サーバーのホームページに送って登録する段階;
(SC30)上記海外仲介サーバーは、教育機関端末からホームページに登録された希望情報に対応するオファー情報の登録を受け、上記オファー情報に対して上記希望情報に符合する順位を選定した後に教育機関別リストを生成し、上記国内仲介サーバーを通して上記エージェント端末及び上記使用者端末に提供する段階;
(SC40)上記国内仲介サーバーは、上記使用者端末から上記教育機関別リストより特定教育機関の選定を受け、対応する上記エージェント端末に使用者の入学決定を通知し、上記エージェント端末から使用者が決定した教育機関の入学申請の入力を受けて、上記海外仲介サーバーに送る段階;
(SC50)上記海外仲介サーバーは、入学申請を照会した上記教育機関端末から学費内訳の登録を受け、上記国内仲介サーバーに登録する段階;
(SC51)上記国内仲介サーバーは、学費内訳を確認したエージェント端末から手数料が追加された教育費内訳の登録を受け、上記使用者端末に案内する段階;及び
(S60)使用者が提携金融社サーバーにアクセスして教育費を決済すれば、国内仲介サーバーが使用者端末に保険証券を提供し、海外仲介サーバーが教育機関から使用者入学登録の通知を受ければ、提携金融社サーバーに使用者に対応する教育機関及びエージェントの口座へ教育費の振込みを要請する段階
を含む事を特徴とする海外教育研修のダブル仲介方法。
【請求項７】
請求項１、４または６のいずれかの方法であって、
上記国内仲介サーバーは、
上記使用者端末から国家、地域、教育機関名、教育コース、費用、学期、寄宿舎を含む希望情報の送信を受け、DBに保存する事を特徴とするダブル仲介方法。
【請求項８】
請求項６の方法であって、
上記段階(SC10)は、
(SC11)国内仲介サーバーが、ホームページにアクセスした使用者端末から教育希望情報の登録を受けてDBに保存する段階;
(SC12)上記国内仲介サーバーが、国内サーバーに登録されたエージェント端末及び教育機関端末に上記希望情報を提供する段階;
(SC13)海外仲介サーバーが、ホームページを利用して上記国内仲介サーバーから上記希望情報の登録を受ければ、海外仲介サーバーに登録されたエージェント端末及び教育機関端末に上記希望情報を提供する段階;
(SC14)上記国内仲介サーバーが、上記段階(SC12)及び段階(SC13)のエージェント端末から上記希望情報に対応するオファー情報の登録を受ける段階;
(SC15)上記国内仲介サーバーが、上記教育機関端末から上記希望情報に対応するオファー情報の登録を受ける段階;及び
(SC16)上記段階(SC14)及び段階(SC15)のオファー情報に対して、上記希望情報に符合する順位によるオファー情報を提供し、使用者が選択する少なくとも一つ以上のエージェントまたは教育機関の登録を受ける段階
を含む事を特徴とするダブル仲介方法。
【請求項９】
請求項６の方法であって、
上記段階(SC10)で使用者が教育機関を選択する場合、
(SC21)国内仲介サーバーは、海外仲介サーバーに使用者が選択した教育機関を通知し、海外仲介サーバーは使用者が選択した教育機関端末から詳細入学情報の登録を受けてDBに保存する段階;
(SC41)上記国内仲介サーバーは、上記海外仲介サーバーから詳細入学情報をの送信を受けてDBに保存し、上記国内仲介サーバーが上記詳細入学情報を照会した上記使用者端末から入学決定の送信を受ければ、上記海外仲介サーバーを通して対応する教育機関に通知する段階;及び
(SC52)上記海外仲介サーバーが上記教育機関端末から教育費内訳の登録を受けて、上記国内仲介サーバーを通して上記使用者端末に案内する段階
を含む事を特徴とするダブル仲介方法。
【請求項１０】
請求項１、４または６のいずれかの方法であって、
上記段階(S60)は、
(S61)上記国内仲介サーバーが、提携金融社サーバーから使用者の決済完了の通報を受ければ、提携保険会社に要請して提供を受けた保険証券を上記使用者端末に提供し、海外仲介サーバー及びエージェント端末に決済完了を通知する段階;
(S62)使用者が教育機関で入学登録を完了すれば、海外仲介サーバーが教育機関端末から決済要請の送信を受ける段階;
(S63)上記海外仲介サーバーが、上記金融社サーバーに使用者に対応する教育機関及びエージェントの口座への教育費の精算及び決済を要請する段階;及び
(S64)上記海外仲介サーバーが、上記金融社サーバーから決済完了の通知を受ける段階
を含む事を特徴とするダブル仲介方法。
【請求項１１】
有無線ネットワーク環境で国内及び海外に構築した仲介サーバーが、使用者の海外教育研修の入学及び教育費納付を仲介するダブル仲介方法において、
教育希望情報を入力して、国内仲介サーバーを通してエージェントを利用した仲介サービスまたは教育機関を通した直接サービスを選択して入学を決定し教育費を納めれば、教育機関の入学完了を条件として教育費の安全保障を受ける使用者端末;
ホームページを通して上記使用者端末から希望情報の登録を受け、登録されたエージェントまたは教育機関から上記希望情報に対応するオファー情報の登録を受ければ、上記希望情報に符合するオファー順位に整列されたエージェントリストまたは教育機関リストを上記使用者端末に提供し、使用者から少なくとも一つ以上のエージェントまたは教育機関の選択を受けて入学金情報を提供し、海外教育研修の入学を仲介する国内仲介サーバー;
上記国内仲介サーバーから希望情報の送信を受けてホームページに登録し、登録されたエージェントまたは教育機関に上記希望情報を提供し、上記国内仲介サーバーから教育費納入事実の通知を受け、教育機関から入学登録の完了の通知を受ければ、教育機関及びエージェントの口座に上記教育費を精算して振込む事を要請する海外仲介サーバー;
各々の上記ホームページを通して希望情報の提供を受け、対応するオファー情報を上記国内仲介サーバーに登録し、上記国内仲介サーバーから使用者のエージェント指定の通知を受け、使用者が選択した教育機関の入学情報を提供して、使用者が入学を決定すれば、対応する教育費内訳を上記国内仲介サーバーに登録するエージェント端末;及び
上記海外仲介サーバーを通して希望情報の送信を受けて、対応するオファー情報を登録し、使用者が入学手続きを完了すれば、上記海外仲介サーバーに教育費振込みを要請する教育機関端末
を含む事を特徴とする海外教育研修のダブル仲介システム。
【請求項１２】
請求項１１のシステムであって、
上記国内仲介サーバーと業務提携によって使用者端末のアクセスを受信し、使用者からの教育費振込みを受けて保管し、使用者の教育費振込みが完了すれば、上記国内仲介サーバーに教育費納入を通知し、上記海外仲介サーバーの振込み要請に従って対応する教育機関またはエージェントの口座に教育費を振込む金融社サーバー
をさらに含む事を特徴とするダブル仲介システム。
【請求項１３】
請求項１１または１２のシステムであって、
使用者が納付した教育費を教育機関で入学が完了するまで保証するため、使用者の教育費納入の通知を受けた上記国内仲介サーバーから保険証券発行の要請を受けて使用者を保険に加入させた後、対応する保険証券を発行する保険会社サーバーをさらに含む事を特徴とするダブル仲介システム。
【請求項１４】
請求項１１のシステムであって、
上記国内仲介サーバーは、
使用者端末から国家、地域、教育機関名、教育コース、費用、学期、寄宿舎を含む希望情報の送信を受けてDBに保存する手段;
登録されたエージェント端末から、上記希望情報に対応する少なくとも一つ以上の教育機関を含むオファー情報の送信を受けてDBに保存する手段;
登録された教育機関端末から、上記希望情報に対応するオファー情報の送信を受けて DBに保存する手段;
個別オファー情報を上記希望情報に符合する順序に整列して順位を付けた後、エージェントリストまたは教育機関リストを生成する手段;及び
上記エージェントリストまたは教育機関リストを上記使用者端末に提供する手段
を含む事を特徴とするダブル仲介システム。
【請求項１５】
請求項１４のシステムであって、
上記国内仲介サーバーは、
使用者端末から少なくとも一つ以上のエージェントまたは教育機関の選択を受ける手段;
金融社サーバーから使用者の教育費納入の通知を受ける手段;及び
上記教育費納入が確認されれば、保険会社サーバーに保険証券を要請して使用者端末に提供する手段
をさらに含む事を特徴とするダブル仲介システム。
【請求項１６】
請求項１１のシステムであって、
上記海外仲介サーバーは、
上記国内仲介サーバーから上記希望情報の送信を受けてDBに保存し、登録されたエージェント端末または教育機関端末に提供する手段;及び
教育機関で使用者の入学登録が確認されれば、教育機関端末から教育費の振込み申請の送信を受け、金融社サーバーに上記教育費振込み申請を送る手段
を含む事を特徴とするダブル仲介システム。
【発明の詳細な説明】
【技術分野】
【０００１】
本発明は海外教育研修のダブル仲介システム及びそのダブル仲介方法（System and its method for mediating admission of foreign education agency）である。詳しく言えば、使用者の海外教育研修申請を国内及び海外の仲介サーバーを利用して国内外エージェント及び海外の教育機関に伝え、使用者が選択した決定に従って教育機関への入学の仲介をし、入学登録の確認を条件として教育費を教育機関に伝達するダブル仲介システム及びそのダブル仲介方法に関するものである。
【背景技術】
【０００２】
最近、海外教育機関へ留学または研修に行く学生が増えている。このような環境で学生たちが一番重要視する事は自分の教育目的に相応しい国家と教育機関を決定する事であり、教育機関が決まれば入学手続きを踏んで教育を履修するようになる。
【０００３】
使用者が選択する教育コースによって全世界には多くの教育機関が存在するが、使用者はこれらの情報をまともに手に入れる事もできずに決定をするようになる。それは大部分の留学院や留学仲介サイトで特定国家に限定された一部の教育機関のみを提示するからである。即ち、留学院や留学仲介サイトでは自社に有利な商品のみを提示するため、使用者は極めて制限された教育機関の情報内で自分の教育目的に合った情報を充分に得る事ができずに特定教育機関を選択するという問題点があった。
【０００４】
また、海外教育機関についての情報が相対的に不足な使用者たちはこの留学院または留学仲介サイトに入学金を含めた諸般の教育費用を支払って教育機関を調べるが、一部の悪徳業者はサービスをまともに提供せずに仲介料だけ得ようとしたり、甚だしくは幽霊会社を作って学生を募集して仲介料を得るなどの問題点もあった。
【発明の概要】
【発明が解決しようとする課題】
【０００５】
本発明は前述した問題点を解決するためのものであり、国内及び海外のサーバーを構築して海外教育研修を希望する使用者と、情報提供及び入学を仲介する国内外エージェントを連結させ、使用者が特定エージェントを選択して教育機関の入学を決定すれば、入学金の委託を受けてから使用者の要請によって教育機関へ提供する事ができる、海外教育研修のダブル仲介サービスを提供する事を目的とする。
【課題を解決するための手段】
【０００６】
前述のような目的を果たすための本発明の海外教育研修のダブル仲介システムによれば、有無線ネットワーク環境で国内及び海外に構築した仲介サーバーが、使用者の海外教育研修の入学及び教育費納付を仲介するダブル仲介システムにおいて、教育希望情報を入力して国内仲介サーバーを通してエージェントを利用した仲介サービスまたは教育機関を通した直接サービスを選択して、入学を決定して教育費を納める。そして教育機関の入学完了を条件として教育費の安全保障を受ける使用者端末; ホームページを通して、上記使用者端末から希望情報の登録を受け、登録されたエージェントまたは教育機関から上記希望情報に対応するオファー情報の登録があれば、上記希望情報に符合するオファー順位で整列されたエージェントリストまたは教育機関リストを上記使用者端末に提供する。使用者から少なくとも一つ以上のエージェントまたは教育機関の選択を受けて入学金情報を提供し、海外教育研修の入学を仲介する国内仲介サーバー;上記国内仲介サーバーから希望情報の送信があればホームページに登録し、登録されたエージェントまたは教育機関に上記希望情報を提供する。上記国内仲介サーバーから教育費納入事実の通知を受けて、教育機関から入学登録完了の通知があれば、教育機関及びエージェントの口座へ上記教育費を精算して振込みを要請する海外仲介サーバー;各々の上記ホームページを通して希望情報の提供を受け、対応するオファー情報を上記国内仲介サーバーに登録し、上記の国内仲介サーバーから使用者のエージェント指定の通知を受け、使用者が選択した教育機関の入学情報を提供する。使用者が入学を決定すれば対応する教育費内訳を上記国内仲介サーバーに登録しているエージェント端末; 及び上記海外仲介サーバーを通して希望情報の送信を受けて対応するオファー情報を登録し、使用者が入学手続きを完了すれば上記海外仲介サーバーに教育費振込みを要請する教育機関端末を含む事を特徴とする。
【０００７】
一方、本発明の海外教育研修のダブル仲介方法によれば、国内及び海外に構築した仲介サーバーが有無線ネットワークを利用して使用者とエージェントと教育機関の間で海外教育研修の入学及び教育費納入を仲介するダブル仲介方法において、(SA10)国内仲介サーバーが使用者端末から教育希望情報の送信を受け、上記の使用者端末に上記の希望情報に符合する順位による国内外エージェントまたは教育機関のオファー情報を提供し、使用者が選択する少なくとも一つ以上のエージェントまたは教育機関を登録する段階;上記の段階(SA10)で使用者がエージェントを選択する場合(SA20)使用者が選択したエージェント端末から上記の希望情報に対応する教育機関の詳細入学情報の登録を受けてDBに保存する段階;(SA30)上記の詳細入学情報を評価して上記の希望情報に符合する順位を選定後、教育機関別リストを生成して上記の使用者端末に提供する段階;(SA40)上記の教育機関別リストを照会した上記使用者端末から特定教育機関の選定を受けて、対応する上記エージェント端末に使用者の入学決定を通知する段階;(SA50)上記エージェント端末から使用者が決定した教育機関の入学金及びエージェント手数料を含む教育費内訳の登録を受けて上記使用者端末へ案内する段階;及び(S60)使用者が提携金融社サーバーにアクセスして教育費を決済すれば、国内仲介サーバーが使用者端末へ保険証券を提供し、海外仲介サーバーが教育機関から使用者の入学登録通知を受ければ、提携金融社サーバーに使用者に対応する教育機関及びエージェントの口座へ教育費の振込みを要請する段階を含む事を特徴とする。
【発明の効果】
【０００８】
本発明による海外教育研修のダブル仲介システム及びそのダブル仲介方法は、国内外に各々構築したサーバーが海外教育研修を希望する使用者の希望条件に符合する順位によるエージェント及び海外教育機関を推薦し、使用者が入学決定をすれば教育費の決済を受けて保管し、教育機関での使用者入学登録の確認を条件として、エージェント及び教育機関に教育費を支給する。
【０００９】
本明細書に添付される以下の図面は本発明の望ましい実施例を例示したものであり、後述する発明の詳細な説明と共に本発明の技術思想をさらに理解する役割をするものである。本発明はこれらの図面に記載した事項にのみ限定して解釈されてはならない。
【図面の簡単な説明】
【００１０】
【図１】本発明による海外教育研修のダブル仲介システムのネットワーク構成図
【図２】本発明の実施例による国内仲介サーバーの概略的ブロック図
【図３】本発明の実施例による海外仲介サーバーの概略的ブロック図
【図４】本発明の第１実施例による海外教育研修のダブル仲介方法の全体順序図
【図５】本発明の第２実施例による海外教育研修のダブル仲介方法の全体順序図
【図６】本発明の第３実施例による海外教育研修のダブル仲介方法の全体順序図
【発明を実施するための形態】
【００１１】
以下、添付図面を参照して本発明の構成及び実施例を詳細に説明する。
<1. システム構成>
1.1 システム構成
図1は本発明による海外教育研修のダブル仲介システム(1)のネットワーク構成を図示する。
【００１２】
本発明によるダブル仲介システム(1)は有無線ネットワーク通信を基盤に構築され、使用者、エージェント、教育機関の間で海外教育機関の入学を仲介する国内仲介サーバー(2)及び海外仲介サーバー(3)、入学を申請する使用者端末(4)、使用者と教育機関の間で情報交換を仲介するエージェント端末(5)及び使用者とエージェントの入学申請を許可する教育機関端末(6)を含めて構成される。これ以外にも教育費安全決済を仲介するために使用者の教育費の決済を受けて入学登録が完了する時まで臨時に保管する金融社サーバー(7)及び使用者に教育費の安全決済を保証する保険会社サーバー(8)を含めて構成される。本発明で提供する海外教育研修のダブル仲介サービスは留学、言語研修、資格証、学院受講またはその他の目的で海外教育機関に入学について照会する使用者を対象に、入学情報提供及び入学登録の代行サービスを提供する。ここで、当事者である使用者と海外教育機関の間の言語及び教育/文化的差を考慮して、使用者を対象に案内インターフェースを提供する国内仲介サーバー(2)と、教育機関を対象に案内インターフェースを提供する海外仲介サーバー(3)を構築する。そしてこのサーバー(2,3)たちは同一事業者が構築したサーバーまたは業務提携関係のサーバーであり、各々使用者及び教育機関を対象にダブル仲介サービスを提供する。直接教育機関に照会しにくい使用者は教育商品を提示する多くのエージェントから提示を受けて特定エージェントを選択し、代行サービスの提供を受ける事も可能である。
【００１３】
本発明では使用者が留学院または教育機関を通してサービスの提供を受ける過程で費用詐欺にあったり十分なサービスの提供を受けられないという事例を防止するために安全決済サービスを提供する。この安全決済は国内仲介サーバー(2)と業務提携関係にある公認された金融社を利用するものである。金融社は使用者が決済した教育費を保管しておき、使用者の教育機関での登録確認を条件として教育費を精算した後に教育機関またはエージェント側に伝達する。これに加えて使用者が決済を完了した事が確認できれば、保険会社は使用者の保証保険に自動加入させた後で保険証券を発行する。
【００１４】
上記の国内仲介サーバー(2)は、ホームページが構築されて使用者端末(4)から教育希望情報の登録を受けてエージェント端末(5)及び教育機関端末(6)に送る。ここで、希望情報は使用者が教育を受けようとする国家、地域、教育機関名、教育コース、費用、学期、寄宿舎を含む情報である。また、使用者の希望情報は海外仲介サーバー(4)のホームページにも登録され、海外のエージェント端末(5)及び教育機関端末(6)からの照会が可能である。各々のサーバー(2,3)を通して希望情報の提供を受けたエージェント端末(5)及び教育機関端末(6)は、オファー情報を国内仲介サーバー(2)に登録する。このオファー情報は使用者の希望情報項目を対象に評価され、優先順位によって整列された後に使用者端末(4)へ提供される。使用者は自分の希望情報に対して優先順位で整列されたリストの提供を受け、エージェントを選択して入学仲介を要請したりまたは教育機関を選択して直接入学申請をする。
【００１５】
使用者の入学対象が決定すれば国内仲介サーバー(2)は教育費を案内し、金融社サーバー(7)は使用者の教育費決済が確認されれば保険会社サーバー(8)を通して保険加入を仲介した後、保険証券を使用者端末(4)に送る。
【００１６】
上記の海外仲介サーバー(3)は、国内仲介サーバー(2)を通して使用者の希望情報またはエージェントが入力した詳細入学情報の送信を受けてホームページに登録する。ホームページに登録された情報を照会したエージェントや教育機関はオファー情報を入力し、入力されたオファー情報は国内仲介サーバー(2)を通して使用者端末(2)に提供される。そして使用者が直接教育機関での登録を完了すれば、教育機関端末(6)から教育費決済の要請を受けて、金融社サーバー(7)に振込みを要請する。
【００１７】
上記使用者端末(4)は国内仲介サーバー(2)のホームページに教育希望情報を入力して、自分の希望情報に符合する順序に整列されたオファー情報の提供を受ける。オファー情報の提供を受けた使用者は、少なくとも一つ以上のエージェントまたは教育機関を選択して相談を受ける。相談過程を通して使用者は最終エージェントまたは教育機関を選択後、入学を要請する。よって、使用者は自分の教育目的に符合した最適の教育機関を選択する事ができる。
【００１８】
上記エージェント端末(5)は、国内仲介サーバー(2) 及び海外仲介サーバー(3)を通して希望情報の提供を受けて対応するオファー情報を登録する。オファー情報の登録はサービスポリシーに従って、サーバー(2,3)に会員加入したエージェントに制限する事ができるが、必ずこれに限定するものではない。エージェントは各々のサーバー(2,3)を通して希望情報の提供を受けるが、オファー情報は国内仲介サーバー(2)に登録する。これは使用者に案内インターフェースを提供する国内仲介サーバー(2)の便宜性のためである。使用者から選択されたエージェントが使用者と相談して入学対象の教育機関の選択を受ければ、手数料及び入学金が含まれた教育費内訳を国内仲介サーバー(2)に送り教育費決済を使用者に要請する。そして使用者が入学登録を完了した後に手数料が振込まれる。
【００１９】
上記教育機関端末(6)は、エージェント端末(5)と同一の経路で国内仲介サーバー(2)及び海外仲介サーバー(3)を通して希望情報の提供を受け、対応するオファー情報を登録する。オファー情報の登録もサービスポリシーに従ってサーバー(2,3)に会員加入した教育機関に制限する事ができる。エージェントは各々のサーバー(2,3)を通して希望情報の提供を受けるが、オファー情報は国内仲介サーバー(2)に登録する。これは使用者に案内インターフェースを提供する国内仲介サーバー(2)の便宜性のためである。使用者から選択された教育機関は使用者と相談して最終入学決定の通知があれば、教育費内訳を国内仲介サーバー(2)に送り決済を要請する。そして使用者が海外教育機関を訪問して入学登録を完了すれば、海外仲介サーバー(3)に決済を要請して教育費を入金してもらう。
【００２０】
上記金融社端末(7)は、使用者端末(4)のアクセスを受信して使用者から教育費の決済を受ける。決済が完了すればその事実を国内仲介サーバー(2)に通知し、国内仲介サーバー(2)は海外仲介サーバー(2)に通知する。エージェントまたは教育機関は各々のサーバー(2,3)から使用者の決済完了の通知を受ける。そして海外仲介サーバー(2)を通して教育機関の決済要請の送信を受ければ、手数料をエージェント口座に振込み入学金を教育機関の口座に振込む。また、国内仲介サーバー(2)及び海外仲介サーバー(3)が有料サービスである場合各々の利用料金は教育費に含まれるため、各々のサーバー(2,3)に対する精算が要求される事は勿論である。
【００２１】
上記保険会社サーバー(8)は、使用者の決済完了通知を受けた国内仲介サーバー(2)から保険加入要請があれば、保険自動加入の処理後に保険証券を発行して返答する。
【００２２】
1.2 国内仲介サーバーの構成
図2は本発明の実施例による国内仲介サーバー(2)の概略的ブロックを図示する。
【００２３】
本発明の実施例による国内仲介サーバー(2)は、使用者の教育希望情報に符合する最適のオファー情報を提供するために、使用者の希望情報の登録を受ける希望情報受信手段(21)、エージェントのオファー情報の登録を受けるエージェントオファー手段(22)、教育機関のオファー情報の登録を受ける教育機関オファー手段(23)、オファー情報を使用者の希望情報に符合した順位で評価する優先順位リスト生成手段(24)及び評価されたリストを提供する優先順位リスト提供手段(25)を含めて構成される。
【００２４】
その後、使用者から最終教育機関の選択を受けるために、使用者からエージェントの選択を受けるエージェント選択手段(26)、使用者から教育機関の選択を受ける教育機関選択手段(27)、使用者の教育費決済についての要請を受けて使用者に案内する教育費決済処理手段(28)及び使用者の保険加入を仲介する保険加入仲介手段(29)を含めて構成される。
【００２５】
上記希望情報受信手段(21)は、使用者端末(21)からホームページを通し教育希望情報の送信を受け、希望情報DB(210)に保存する。エージェント端末(5)及び教育機関端末(6)はホームページにアクセスして希望情報を照会でき、選択によって使用者の希望情報を電子メールで通知を受ける事ができる。
【００２６】
上記エージェントオファー手段(22)は、エージェント端末(5)からホームページを通して希望情報に対応するオファー情報の送信を受け、エージェントオファーDB(220)に保存する。オファー情報はエージェントが推薦する少なくとも一つ以上の教育機関に対する情報を含む。
【００２７】
上記教育機関オファー手段(23)は、教育機関端末(6)からホームページを通して希望情報に対応するオファー情報の送信を受け、教育機関オファーDB(230)に保存する。オファー情報は教育機関が保有する教育施設、教育コースなどに対する情報を含む。
【００２８】
上記優先順位リスト生成手段(24)は、エージェントオファーDB(220) 及び教育機関オファーDB(230)に保存されたオファー情報を、使用者が登録した希望情報の項目別に評価する。評価後、オファー情報と希望情報の一致度に応じて数値化計算された点数別に優先順位を付与する。優先順位が付けられたオファー情報は、各々エージェント別リスト及び教育機関別リストで構成された優先順位リストとして生成される。
【００２９】
上記優先順位リスト提供手段(25)は、ホームページを通して使用者端末(4)に優先順位リストを提供する。使用者は画面に表示された優先順位リストによって、自分の希望情報に合った順序でエージェントまたは教育機関を選択する事ができる。
【００３０】
上記エージェント選択手段(26)は、ホームページを通して優先順位リストを検討した使用者端末(4)から少なくとも一つ以上のエージェントの選択を受ける。ここで使用者のエージェント選択は選択されたエージェントから実際の入学のためのより詳細な教育機関情報を受けためである。従って使用者はエージェント手数料を負担しなければならない。
【００３１】
上記教育機関選択手段(27)は、ホームページを通して優先順位リストを検討した使用者端末(4)から少なくとも一つ以上の教育機関の選択を受ける。ここで、使用者の教育機関選択は入学を決定するものであるかもしれず、最終入学決定のためにさらに詳細な相談を希望するものかもしれない。従って、選択された教育機関は入学金を含めた詳細情報を使用者に案内する。
【００３２】
上記教育費決済処理手段(28)は、選択されたエージェント及び教育機関との相談により使用者が入学を決定すれば、エージェントまたは教育機関から教育費の請求を受けて使用者に決済を案内する。そして使用者が案内に従って金融社サーバー(7)にアクセス後決済を完了すれば、決済事実の通知を受ける。ここで、使用者がエージェントを通して入学決定をした場合、エージェント端末(5)から諸般の手数料及び入学金が含まれた教育費内訳の送信を受ける。一方、教育機関を通して入学決定をした場合、教育機関端末(6)から入学金で構成された教育費内訳の送信を受ける。
【００３３】
上記保険加入仲介手段(29)は、使用者の決済完了通知を受ければ保険会社サーバー(8)にアクセスして保険加入を要請する。保険会社サーバー(8)は使用者が決済した教育費を保証して保険証券を発行する。そして保険証券の発行事実は国内仲介サーバー(2)を通して使用者端末(4)に通知される。
【００３４】
1.3 海外仲介サーバーの構成
図3は本発明の実施例による海外仲介サーバー(3)の概略的ブロックを図示する。
【００３５】
本発明の実施例による海外仲介サーバー(3)は、国内仲介サーバー(2)から希望情報の送信を受けてホームページに登録する希望情報受信手段(31)、ホームページに登録された希望情報をエージェントや教育機関に提供する希望情報提供手段(32)、教育機関からの教育費振込み申請を受ける振込み申請受信手段(33)及び教育機関の振込み申請事実を金融社サーバー(3)に伝えて振込みを要請する教育費振込み要請手段(34)を含めて構成される。
【００３６】
<2. 方法構成>
本発明の望ましい実施例による海外教育研修のダブル仲介方法は、前述の海外教育研修のダブル仲介システム(1)の構築を通して実現する事ができる。
【００３７】
2.1 第 1実施例のダブル仲介方法
図4は本発明の第1実施例による海外教育研修のダブル仲介方法の全体順序を図示する。
【００３８】
第1実施例は、国内仲介サーバー(2)が登録されたエージェント及び教育機関を対象に使用者の希望情報を提供後、使用者の教育機関決定による決済を案内し、使用者が教育機関に登録完了すれば国外仲介サーバー(2)が教育機関への教育費振込みサービスを提供する。
【００３９】
国内仲介サーバー(2)は、ホームページを通して使用者端末(4)から国家、地域、教育機関名、教育コース、費用、学期、寄宿舎を含む希望情報の送信を受け、希望情報DB(210)に保存する。(SA11).希望情報が登録されれば、サーバー(2)に登録されたエージェント及び教育機関は希望情報を照会し(SA12)、対応するオファー情報を登録する(SA13,SA14)。オファー情報が登録されれば、サーバー(2)は希望情報に符合する順位によって国内外エージェントまたは教育機関のオファー情報を優先順位リストとして生成し、ホームページに登録して使用者に照会サービスを提供する(SA15)。使用者端末(4)は優先順位リストを検討し、少なくとも一つ以上のエージェント及び教育機関を選択する(SA16)。選択されたエージェントまたは教育機関では、ホームページを通して詳細な相談サービスを提供する。
【００４０】
ここで、使用者がエージェントを選択すると仮定する。使用者の選択事実の通知を受けたエージェント端末(5)は、ホームページに詳細入学情報を登録する(SA20)。国内仲介サーバー(2)は、詳細入学情報を評価して使用者の希望情報に符合する順位を付けた後にその順位別で優先順位リストを生成し、使用者は優先順位リストを通して希望情報に符合する教育機関の推薦を受ける(SA30)。使用者は推薦された教育機関の中から自分が入学しようとする特定教育機関を選択して入学仲介を要請する(SA40)。国内仲介サーバー(2)は使用者の入学決定をエージェント端末(5)に提供し、エージェント端末(5)は手数料及び入学金が含まれた教育費をホームページに登録する(SA50)。
【００４１】
もし、使用者が教育機関を選択すれば、国内仲介サーバー(2)は使用者の選択事実を教育機関端末(6)に通知し、ホームページを通して教育機関端末(6)から詳細入学情報の登録を受ける(SA21)。使用者は詳細入学情報を照会して最終入学決定をし、この入学決定は国内仲介サーバー(2)を通して教育機関に通知される(SA41)。教育機関は入学金内訳が含まれた教育費情報をホームページに登録し、使用者端末(4)はこれを照会する(SA51)。
【００４２】
使用者は国内仲介サーバー(2)から決済ページを提供され、教育費案内に従ってカード番号または口座番号を含む決済情報を入力し、決済情報は金融社サーバー(7)に伝達する。勿論、使用者が金融社サーバー(7)に直接アクセスして決済する事も可能である。国内仲介サーバー(2)は決済を主管した金融社サーバー(7)から決済完了通知を受ける(S61)。国内仲介サーバー(2)は決済完了事実を海外仲介サーバー(3)、エージェント端末(5)及び教育機関端末(6)に通知する。以後、使用者は教育費決済に従ってエージェントからビザ申請代行サービスの提供を受け、出国後教育機関を訪問して入学登録を完了する。入学が完了すれば、教育機関端末(6)は海外仲介サーバー(3)に決済を要請し(S62)、海外仲介サーバー(2)は既に通知された使用者決済完了情報から金融社情報を抽出し、対応する金融社サーバー(7)に教育費の精算及び決済を要請する(S63)。精算の場合は使用者がエージェントを選択した場合であり、教育費から手数料はエージェントの費用とし、入学金は教育機関の費用に算定する。金融社サーバー(7)はエージェントまたは教育機関に決済を処理する。国内仲介サーバー(2)が金融社サーバー(7)から決済完了通知を受ければ、保険会社サーバー(8)に保険契約の終了を伝える(S64)。
【００４３】
2.2 第 2実施例のダブル仲介方法
図5は本発明の第2実施例による海外教育研修のダブル仲介方法の全体手順を図示する。
【００４４】
第2実施例は、国内仲介サーバー(2)が登録されたエージェントのみを対象にして使用者の希望情報を提供し、エージェントが詳細入学情報を入力すれば海外中継サーバーを通して教育機関を募集する。使用者は国内仲介サーバー(2)から特定教育機関を選択して入学決定による決済を完了する。そして使用者が教育機関に登録完了すれば、国外仲介サーバー(2)が教育機関への教育費振込みサービスを提供する。
【００４５】
国内仲介サーバー(2)は、ホームページを通して使用者端末(4)から希望情報の送信を受け、希望情報DB(210)に保存する(SB11)。希望情報が登録されれば、サーバー(2)に登録されたエージェントは希望情報を照会して(SB12)、対応するオファー情報を登録する(SB13)。オファー情報が登録されれば、サーバー(2)は希望情報に符合する順位による国内外エージェントのオファー情報を優先順位リストとして生成し、ホームページに登録して使用者に照会サービスを提供する(SB14)。使用者端末(4)は優先順位リストを検討して少なくとも一つ以上のエージェントを選択し、選択事実はエージェント端末(5)に通知される(SB15)。
【００４６】
通知を受けたエージェント端末(5)は、国内仲介サーバー(2)のホームページに詳細入学情報を登録し、この情報は海外仲介サーバー(3)のホームページにも登録される(SB20)。海外仲介サーバー(3)が教育機関端末(6)に詳細入学情報を提供し、オファー情報の登録があれば、使用者の希望情報に符合する順位で少なくとも一つ以上のオファー情報を評価して、優先順位によるリストを国内仲介サーバー(2)に送る。そして国内仲介サーバー(2)を通してエージェント及び使用者は優先順位リストを検討する(SB30)。国内仲介サーバー(2)は優先順位リストを検討した使用者から特定教育機関の入学決定を受けてエージェント端末(5)に送り、エージェント端末(5)は入学申請書類を作成して登録する(SB40)。海外仲介サーバー(3)を通して入学申請を照会した教育機関は入学金が含まれた教育費内訳を登録し、海外仲介サーバー(3)はこれを国内仲介サーバー(2)に送る(SB50)。エージェント端末(5)が、国内仲介サーバー(2)を通して送信された教育費内訳に手数料をさらに追加して登録すれば、使用者は国内仲介サーバー(2)を通して教育費内訳の案内を受ける(SB51)。
【００４７】
以後の処理手順は前述の第1実施例で説明した決済段階(S61〜S64)と同一なため、詳細な説明は省略する。
【００４８】
2.3 第3実施例のダブル仲介方法
第3実施例は、国内仲介サーバー(2)及び海外仲介サーバー(3)が、各々のサーバーに登録されたエージェントを対象に使用者の希望情報を提供する。エージェントまたは教育機関は希望情報に対応するオファー情報を登録し、使用者はオファー情報の提供を受けてエージェントまたは教育機関を選択して教育費を決済する。
【００４９】
国内仲介サーバー(2)は、ホームページを通して使用者端末(4)から希望情報の送信を受け、希望情報DB(210)に保存する(SC11)。希望情報が登録されれば、サーバー(2)に登録されたエージェントは希望情報を照会する(SC12)。サーバー(2)は海外仲介サーバー(3)のホームページに希望情報を登録し、サーバー(3)に登録されたエージェント及び教育機関はこれを照会する(SC13)。以後、国内仲介サーバー(2)は各々のサーバー(2,3)に登録されたエージェントまたは教育機関からオファー情報の登録を受ける(SC14,SC15)。登録されたオファー情報はサーバー(2)で優先順位リストに生成されてホームページに登録された後、使用者に照会サービスが提供される。使用者端末(4)は優先順位リストを検討して少なくとも一つ以上のエージェント及び教育機関を選択し、選択事実は対応するエージェント端末(5)または教育機関端末(6)に通知される(SC16)。使用者はエージェントを選択して相談サービスを受けるか、それとも直接教育機関を比較して入学決定をするか選択する。
【００５０】
まず、使用者がエージェントを選択すると仮定する。使用者の選択事実の通知を受けたエージェント端末(5)がホームページに詳細入学情報を登録すれば、登録された詳細入学情報は海外仲介サーバー(3)のホームページに送信される(SC20)。このホームページで教育機関は詳細入学情報に対応するオファー情報を登録し、オファー情報は希望情報に符合する順位が付けられた優先順位リストに生成された後、海外仲介サーバー(3)、国内仲介サーバー(2)を経てエージェント及び使用者に提供される(SC30)。
国内仲介サーバー(2)は、使用者が推薦された教育機関の中から入学しようとする特定教育機関を選択すれば、それをエージェント端末(5)に提供する。エージェントが入学申請書類を作成すれば、国内仲介サーバー(2)を経て海外仲介サーバー(3)に送信される(SC40)。海外仲介サーバー(3)を通して入学申請を照会した教育機関は入学金が含まれた教育費内訳を登録し、海外仲介サーバー(3)はこれを国内仲介サーバー(2)に送る(SB50)。エージェント端末(5)が国内仲介サーバー(2)を通して送信された教育費内訳に手数料をさらに追加して登録すれば、使用者は国内仲介サーバー(2)を通して教育費内訳の案内を受ける(SB51)。
【００５１】
もし、使用者が教育機関を選択したなら、国内仲介サーバー(2)は使用者の選択事実を教育機関端末(6)に通知し、ホームページを通して教育機関端末(6)から詳細入学情報の登録を受ける(SA21)。使用者は詳細入学情報を照会して最終入学決定をして、この入学決定は国内仲介サーバー(2)を通して教育機関に通知される(SA41)。教育機関は入学金内訳が含まれた教育費情報をホームページに登録し、使用者端末(4)はこれを照会する(SA52)。
【００５２】
以後の処理手順は前述の第1実施例で説明した決済段階(S61〜S64)と同一なため、詳細な説明は省略する。
【産業上の利用可能性】
【００５３】
上述のように、本発明による海外教育研修のダブル仲介システム及びそのダブル仲介方法の実施例が構成される。本発明は限定された実施例と図面によって説明されているが、本発明はこれに限定されず、本発明が属する技術分野において通常の知識を持った者によって、本発明の技術思想と以下に記載する特許請求範囲の均等範囲内で、多様な修正及び変形が可能であるのは勿論である。
【符号の説明】
【００５４】
１：システム                    ２：国内仲介サーバー
３：海外仲介サーバー            ４：使用者端末
５：エージェント端末            ６：教育機関端末
７：金融社端末                  ８：保険会社サーバー
【図１】
2010524076.tif 000003
【図２】
2010524076.tif 000004
【図３】
2010524076.tif 000005
【図４】
2010524076.tif 000006
【図５】
2010524076.tif 000007
【図６】
2010524076.tif 000008
【国際調査報告】
2010524076.tif 000009
2010524076.tif 000010